(57)【要約】【課題】セパレータを打ち叩いて掛止する際に、締付軸から外れることが決してなく、また、セパレータの取付けも安定するセパレータの連結金具を提供する。【解決手段】セパレータが打ち込みにより掛止される連結金具本体と、型枠に貫通して外側の締結金具で締めつけられる掛止鍔付きの締付軸との組合せからなり、連結金具本体を上下前後が囲まれる角筒形に形成し、上面と前面にかけてセパレータが脱出不能に打ち込まれる切欠前部孔を設け、背面と底面にかけて締付軸を先端の掛止鍔で掛け止める切欠後部孔を設け、切欠後部孔の背面口を掛止鍔が抜けないよう締付軸の軸通しのトンネル口形に上端を閉塞して形成した。【選択図】    図１
2004270140.tif 000002
【特許請求の範囲】
【請求項１】
セパレータが打ち込みにより掛止される連結金具本体と、型枠に貫通して外側の締結金具で締めつけられる掛止鍔付きの締付軸との組合せからなり、連結金具本体を上下前後が囲まれる角筒形に形成し、上面と前面にかけてセパレータが脱出不能に打ち込まれる切欠前部孔を設け、背面と底面にかけて締付軸を先端の掛止鍔で掛け止める切欠後部孔を設け、切欠後部孔の背面口を掛止鍔が抜けないよう締付軸の軸通しのトンネル口形に上端を閉塞して形成したことを特徴とするセパレータの連結金具。
【請求項２】
切欠後部孔のうちの底面口が背面口にほゞ同幅で連続するように、その底面口を凸形の口に形成し、凸形の幅狭部と幅広部との間において幅広部の両側縁に返し爪を折り返しにより形成し、一方、切欠前部孔のうちの上面口を中央部においてセパレータのナットを通す幅広に形成し、上面口の後端に、前記返し爪を越える際に掛止鍔を通す逃げ口を形成し、両返し爪を通してから締付軸を中心に掛止鍔の位相を変えることにより連結金具本体の上下面の間に回転不能に挟まれるように、掛止鍔を角形や楕円形等に形成したことを特徴とする請求項１記載のセパレータの連結金具。
【請求項３】
連結金具本体の前面を二重壁に形成し、切欠前部孔のうちの前面口に設けられるセパレータ打ち通し用の左右一対の逆止爪を、二重壁のうちの前壁に先方への切り起こしにより形成したことを特徴とする請求項１または２記載のセパレータの連結金具。
【発明の詳細な説明】
【０００１】
【発明の属する技術分野】
この発明は、コンクリート型枠に貫通して取り付けられる締付軸を備えたセパレータの連結金具に関する。
【０００２】
【従来の技術】
コンクリートの両型枠の間にセパレータを介在させるためには、その両端に連結金具が用いられ、その連結金具は、セパレータを掛け止める連結金具本体と、連結金具本体に組み付けられる締付軸とからなるもので、締付軸を型枠に貫通してその外側において締結金具により締めつけられ、この締め付けにより連結金具本体を型枠の内側に固着してから、両連結金具本体にセパレータが掛け止められる。
【０００３】
図７は、従来例として連結金具本体５１にコーン５３付きの締付軸５２が組み付けられた状態のセパレータの連結金具Ｓを示す。連結金具本体５１は、上面開放の容器形であって、その後壁に締付軸５２を掛止する後部切欠５６を、前壁にセパレータ５５を掛止する前部切欠５７をそれぞれ設け、後部切欠５６は、下端部近くが狭く形成されることによって締付軸２がその下に保持され、前部切欠５７には逆止爪５９，５９を形成することによりその下にセパレータ５５が保持されるようになっていた。なお、軸方向へ抜けないように締付軸２には掛止鍔６０が一体に取り付けられ、セパレータ５５にはナット６２が螺着される。
【０００４】
【発明が解決しようとする課題】
上記のような従来のセパレータの連結金具によれば、締付軸５２に締結金具を螺着することにより型枠に取り付けた後（図５参照）、セパレータ５５を前部切欠５７に掛止するために、図７の矢印で示すように、ナット６２を連結金具本体５１に上から入れながらセパレータ５５を前部切欠５７に落とし込む時、両逆止爪５９，５９の狭い間を通すために上から打ち叩くが、そうすると、連結金具本体５１に下への力が衝撃的に加わるために、連結金具本体５１が締付軸５２から抜けて脱落することがあるという問題があった。
【０００５】
この発明は、上記のような実情に鑑みて、セパレータを打ち叩いて掛止する際に、締付軸から外れることが決してなく、また、セパレータの取付けも安定するセパレータの連結金具を提供することを目的とした。
【０００６】
【課題を解決するための手段】
上記の目的を達成するために、この発明は、セパレータが打ち込みにより掛止される連結金具本体と、型枠に貫通して外側の締結金具で締めつけられる掛止鍔付きの締付軸との組合せからなり、連結金具本体を上下前後が囲まれる角筒形に形成し、上面と前面にかけてセパレータが脱出不能に打ち込まれる切欠前部孔を設け、背面と底面にかけて締付軸を先端の掛止鍔で掛け止める切欠後部孔を設け、切欠後部孔の背面口を掛止鍔が抜けないよう締付軸の軸通しのトンネル口形に上端を閉塞して形成したことを特徴とするセパレータの連結金具を構成した。
【０００７】
上記の構成によれば、連結金具本体にその切欠後部孔の下から締付軸を掛止鍔とともに入れると、掛止鍔が背面口に掛かる金具本体と締付軸との組合せとなり、締付軸を型枠に通して外側の締結金具により締めつけることにより型枠に対する取付け状態となるもので、この状態でセパレータを切欠前部孔に打ち込むことにより、連結金具本体に下への力が加わっても、締付軸が通る背面口が上端閉塞のトンネル口形であり、その内側に掛止鍔が掛かっていることとも相まって、締付軸から連結金具本体が抜けるということは決してない。
【０００８】
加えて、切欠後部孔のうちの底面口が背面口にほゞ同幅で連続するように、その底面口を凸形の口に形成し、凸形の幅狭部と幅広部との間において幅広部の両側縁に返し爪を折り返しにより形成し、一方、切欠前部孔のうちの上面口を中央部においてセパレータのナットを通す幅広に形成し、上面口の後端に、前記返し爪を越える際に掛止鍔を通す逃げ口を形成し、両返し爪を通してから締付軸を中心に掛止鍔の位相を変えることにより連結金具本体の上下面の間に回転不能に挟まれるように、掛止鍔を角形や楕円形等に形成すれば、締付軸の掛止鍔とセパレータのナットとがさらに抜けなくなり、目的の達成により有効である。
【０００９】
さらに加えて、連結金具本体の前面を二重壁に形成し、切欠前部孔のうちの前面口に設けられるセパレータ打ち通し用の左右一対の逆止爪を、二重壁のうちの前壁に先方への切り起こしにより形成すると、セパレータを安定して保持できるので、目的の達成により有効である。
【００１０】
【発明の実施の形態】
次に、この発明の実施の形態を図面に基づいて説明する。
【００１１】
図面は、一実施の形態を示したもので、そのセパレータ用の連結金具Ｐは、左右に筒抜ける四角筒型の連結金具本体１と、先端に掛止鍔６付きの締付軸２とからなり、型枠Ｆに貫通された先端部に締結金具４が螺入されるため、締付軸２に雄ねじが形成される（図５）。連結金具本体１には、締付軸２を取り付ける切欠後部孔３と、セパレータ５を上からの打ち込みにより掛け止める切欠前部孔７とを設けてある。１２はコーンである。
【００１２】
連結金具本体１は、鋼鉄等の金属板を矩形に折り曲げて筒形であるが、前面で折り合わせてそこが二重壁１ａ，１ｂとなっている。そして、切欠後部孔３が背面から底面にかけて一連に開口して形成され、切欠前部孔７が上面から前面にかけて一連に開口して形成される。なお、切欠前部孔７に掛けるセパレータ５の両端には、掛止用のナット８，８が螺着される。
【００１３】
切欠後部孔３は、背面口９と底面口１０とを連続して形成したもので、背面口９が締付軸２の軸通しとしてトンネル口の形状に形成され、底面口１０が掛止鍔６とともに締付軸２を入り込ませ得るように背面口９と同幅で連続する凸形であって、底面の中央部近くに凸形のうちの幅広部１０ａが掛止鍔６を通し得る幅に形成され、幅狭部１０ｂが締付軸２を通し得るよう背面口９と同幅に形成される。掛止鍔６は、背面口９と幅狭部１０ｂとに脱出不能に掛け止められるが、幅広部１０ａに戻らないように、両部１０ａ，１０ｂとの間の位置において、幅広部１０ａの両縁に内側へ起立する返し爪１３，１３が形成される。
【００１４】
切欠前部孔７は、セパレータ５を掛止ナット８と共に落とし込まれるように、上面には掛止ナット８を落とす幅広い上面口１５を形成し、上面口１５から前面にかけてセパレータ５の軸通しの幅に前面口１６が形成されるが、上面口１５の後端には、締付軸２の掛止鍔６の一部が一時的に入り込むように、返し爪１３，１３の位置においてセパレータ５の先端部を落とすためと、掛止鍔６を所定位置に入れるための逃げ口１７が形成される。また、この逃げとの関係において、掛止鍔６がほゞ正方形の角形に形成される。
【００１５】
つまり、締付軸２を取り付けるには、掛止鍔６を幅広部１０ａから入れてから、返し爪１３，１３を乗り越えて幅狭部１０ｂに至らせるが、掛止鍔６の対角線方向が縦横となるようにして（図３，図４の二点鎖線の状態）、返し爪１３，１３の間と逃げ口１７とに上下角部を逃げさせて所定の位置に至らせるようにしながら、対角線が斜めとなる正座の状態に掛止鍔６を回転させる（図３，図４の実線の状態）。そうすると、掛止鍔６が返し爪１３，１３から戻らないように連結金具本体１の上下内面の間に挟まれる（図５参照）。したがって、セパレータ５の打ち込み時に掛止鍔６が一層確実に外れるおそれがなくなる（請求項２）。
【００１６】
また、切欠前部孔７のうちの上面口１５は、掛止ナット８を落とす幅広に形成されるが、ナット８を落としこんでからねじが締められると、ナット８が二重壁の内面に接合して上下内面に挟まれるので（図６参照）、ナット８も決して外れなくなる（請求項２）。
【００１７】
さらに、前面口１６は、逆トンネル口形に形成されるが、二重壁１ａ，１ｂの外側壁１ｂにおいて、上端部の両側にセパレータ５を打ち込んで通す逆止爪１９，１９を前面に起こして形成され、両逆止爪１９，１９の間が順次下へ狭く形成される。したがって、セパレータ５を安定して保持しやすく前面口１６および逆止爪１９，１９が強固となっている（請求項３）。
【００１８】
【発明の効果】
以上説明したように、この発明のセパレータの連結金具によれば、連結金具本体の切欠前部孔にセパレータを打ち込む際に、連結金具本体が下方へ力が加わっても、切欠後部孔の背面口が上端を塞がれたトンネル口形状のため、締付軸から外れることが決してなく、連結金具本体と締付軸との組合せが確実に保持され、また、セパレータの取付けもナットが上下で連結金具本体に挟まれるので安定するという優れた効果がある。
【図面の簡単な説明】
【図１】この発明のセパレータの連結金具を分解して示す斜視図である。
【図２】同図のうちの連結金具本体の背面図である。
【図３】同セパレータの連結金具の組み立てた状態を示す断面図である。
【図４】図３のＡ−Ａの断面図である。
【図５】同連結金具にセパレータを打ち込む手順を示す断面図である。
【図６】同連結金具にセパレータを取り付けた状態を示す断面図である。
【図７】従来例を示す斜視図である。
【符号の説明】
Ｐ  セパレータの連結金具
Ｆ  型枠
１  連結金具本体
１ａ，１ｂ  二重壁
２  締付軸
３  切欠後部孔
４  締結金具
５  セパレータ
６  掛止鍔
７  切欠前部孔
８  ナット
９  背面口
１０  底面口
１０ａ  幅広部
１０ｂ  幅狭部
１３  返し爪
１５  上面口
１６  前面口
１７  逃げ口
１９  逆止爪
【図１】
2004270140.tif 000003
【図２】
2004270140.tif 000004
【図３】
2004270140.tif 000005
【図４】
2004270140.tif 000006
【図５】
2004270140.tif 000007
【図６】
2004270140.tif 000008
【図７】
2004270140.tif 000009